(57)【要約】【課題】  ゴルフプレー時に、グリーン上でボールを拾い上げた際、付着した草の擦痕、泥等の汚れを拭き取るための払拭具（１）を収納する小型で便利な携帯型容器を提供する。【解決手段】  スポンジ等の払拭具（１）を収納する掌サイズの内筒（２）と内筒に嵌合する外筒（３）、および外筒に嵌合する遮蔽筒（４）の３筒から成るゴルフボールの払拭具容器であって、内筒または遮蔽筒を外筒に対して回転させることによって、払拭具における払拭面の露出、選択、遮蔽が自在にできることを特徴とする。【選択図】  図１
2005125027.tif 000002
【特許請求の範囲】
【請求項１】
スポンジ等の払拭具（１）を収納する掌サイズの内筒（２）と内筒に嵌合する外筒（３）および外筒に嵌合する遮蔽筒（４）の３筒から成り、それぞれの筒の相対位置を円周方向に変化させることで、払拭面の露出、選択、遮蔽が自在にできることを特徴とした携帯型ゴルフボール払拭具容器。
【請求項２】
スポンジ等の払拭具（１）を収納する掌サイズの内筒（２）と内筒に嵌合する外筒（３）の２筒から成り、それぞれの筒の相対位置を円周方向に変化させることで、払拭面の露出、選択、遮蔽が自在にできることを特徴とした携帯型ゴルフボール払拭具容器。
【発明の詳細な説明】
【技術分野】
【０００１】  この発明は、ゴルフプレー時、グリーン上でボールを拾い上げた際、付着した草の擦痕、泥等の汚れを拭い取るための払拭具を収納する携帯型容器に関するものである。
【背景技術】
【０００２】  従来、グリーン上でボールを拾い上げた際、キャディーがボールを拭いてくれていた。しかし近年、キャディー不在のセルフカート形式のゴルフ場が数多く出現し、ボール拭きはゴルファー自身がしなければならなくなった背景がある。その場合、ゴルファーは濡れたタオル等の拭い具を持参しなければならず、用意の無い場合は、汚れたままのボールで、パットしなければならなかった。本発明に目的が類似していると思われる技術として「ゴルフボールの浄化装置」という発明がある。これは携帯型容器にスポンジ等の水吸収性パッドを装着し、プレー中にボールを拭うものであるが、本発明とは解決の手段、実施の形態が全く異なるものである。（例えば特許文献１参照）。即ち、特許文献１にあっては、ゴルフコースのどのような地点においてもゴルフボールの浄化を可能ならしめるため、耐水性板に保持された水吸収性スポンジであって、これに携帯、着用の利便性を向上させるためのフック部を形成した、ゴルフボール浄化装置の技術が開示されている。【０００３】
【特許文献１】        特開２０００−２１７９５２
【発明の開示】
【発明が解決しようとする課題】
【０００４】  これには、次のような欠点があった。
（イ）水吸収性スポンジが腰周りに露出するので、腕や衣服に触れ、濡れたりあるいは汚れたりする恐れが多分にある。
（ロ）ゴルフはデリケートなスポーツであり、ゴルファーは身体に物品を装着することを嫌う。即ち、スイング中に腕が物品に触れたり、あるいは身体の一部に違和感を覚えたりすると、スイングの軌道が狂ってしまい、ボールの行方が定まらないからである。
本発明はこれらの欠点を解決するため成されたものである。
【課題を解決するための手段】
【０００５】  スポンジ等の払拭具（１）を収納する掌サイズの内筒（２）と、この内筒に嵌合する外筒（３）および外筒に嵌合する遮蔽筒（４）の３筒から成る、ゴルフボールの携帯型払拭具容器であることを特徴とする。それぞれの筒の側面には窓を設け、内筒または遮蔽筒を外筒に対して回転させることで、払拭具の払拭面の露出、選択、遮蔽が自在にできるようにした。
尚、他の構成として、筒の数をひとつ減らし、内筒と外筒のみから成る構成が考えられる（請求項２記載）。
【発明の効果】
【０００６】  本発明をズボンのポケットに入れて移動することができ、濡れたタオル等の拭い具を手に持ったり、腰に下げたりすることがなくなり、手や衣服が汚れる煩わしさから解放される。即ち、水を含んだスポンジ等の払拭具（１）を本容器（５）に格納し、払拭面を遮蔽しておけば、ポケットが濡れることもない。
【実施例１】
【０００７】  以下、本発明の実施例１の形態について、（イ）〜（チ）の順に説明する。
（イ）実施例１は、本発明の請求項１に係るもので、  図１は、実施例１の斜視図であるが、内筒（２）と外筒（３）および遮蔽筒（４）の３筒から成り、内筒と外筒は摺動リングを介して嵌合し、着脱自在である。一方、遮蔽筒は外筒に接触して嵌合し、上、下をガイドリング（１２）で挟持されている。
（ロ）図２は、実施例１の分解斜視図であるが、内筒（２）は掌サイズの円筒で、摺動リング（６）を上端および下端に備える。そして、摺動リングを除く側面全体に３本の細い保持支柱（７）と３個の等面積の窓（８）を設ける。また、天部は蓋（９）で覆い、蓋の上には摘み（１０）を接合する。底部は開放である。
（ハ）内筒（２）の保持支柱（７）は３本が妥当である。即ち、２本では払拭具（１）の保持が困難である。一方４本以上にすると窓幅が狭くなり、窓枠が邪魔して、ボールが払拭面に強く当たらないので、払拭効果が限定されてしまう。尚、窓（８）の幅が広いほど、ボールを払拭するときの自由度が増加し、払拭作業が容易である。
（ニ）外筒（３）は天部開放の底板（１１）のある円筒で、上端および下端にガイドリング（１２）を備える。但し、下端のガイドリングは遮蔽筒（４）を嵌合した後に装着する。そして、側面には窓（８）１個を設け、その寸法は内筒（２）の窓の寸法に同等に定める。また、外筒の内径を内筒の摺動リング（６）の外径よりも僅かに大きくして、嵌合時に内筒が外筒に対して円滑に回転するようにする。
（ホ）遮蔽筒（４）は天、底開放の円筒で、側面には窓（８）１個を設ける。窓の寸法は外筒（３）の窓の寸法に同等に定めるが、上下に窓枠があるので、その分だけ狭くなる。そして、遮蔽筒を外筒の上、下端のガイドリング（１２）間に嵌合し、一体化する。尚、遮蔽筒の内径を外筒の外径よりも僅かに大きくすると共に、高さを両ガイドリング間距離よりも僅かに小さくして、遮蔽筒が外筒に対して円滑に回転するようにする。
（ヘ）図３は、本発明の実施例１に払拭具を装填中の斜視図であるが、水が滴らない程度に絞った円筒形のスポンジ等の払拭具（１）を、内筒（２）の底部から挿入する。スポンジの場合、内筒の内径よりもやや太めにして、押し込むようにして装填すれば、払拭面が窓から盛り上がり、払拭効果が向上する。払拭面が汚れた時点で、摘み（１０）を把持して内筒を引き抜き、払拭具を取り出し、洗浄して再装填する。
（ト）図４は、本発明の実施例１の使用状態を示す斜視図であるが、払拭具（１）を装填した内筒（２）を遮蔽筒（４）と一体化した外筒（３）に嵌合し、余分な水を排出してからポケットに格納しておく。プレーを開始し、ボールがグリーンに乗ったらボールを拾い上げ、同時にポケットから本容器（５）を取り出す。先ず、片手で遮蔽筒を持ち、もう一方の手で上端のガイドリング（１２）を回転させながら、遮蔽筒の窓（８）を外筒の窓に一致させる。次にその片手を下端のガイドリングに持ち替え、もう一方の手で摘み（１０）を回転させて、外筒の窓に内筒の窓を一致させる。以上の動作で内筒、外筒、遮蔽筒の窓どうしが重なり、スポンジ等払拭具の払拭面が露出する。そして、払拭面にボールを押し付けながら汚れを拭き取る。清掃終了後、遮蔽筒を回転させ、払拭面を遮蔽して、ポケットに格納する。尚、払拭面は３面あり（内筒に形成された窓３個が該当）、清浄な払拭面を任意に選択できる。
（チ）本発明の材質についてである。本容器（５）は軽くしかも耐水性のある材質でなくてはならない。容器本体はポリエチレンが、摘みはポリプロピレンが適切である。
【実施例２】
【０００８】  以下、実施例２は請求項２に係るもので、（リ）〜（ワ）の順に説明する。
（リ）図５は本発明の実施例２の斜視図であるが、上記実施例１より構成部分として筒をひとつ減らした、内筒（２）と外筒（３）の２筒から成り、両筒は摺動リングを介して嵌合し、着脱自在である。
（ヌ）図６は、本発明の実施例２の分解斜視図であるが、内筒（２）は掌サイズの円筒で、摺動リング（６）を上端および下端に備える。そして、摺動リングを除く側面全体に１本の広幅の保持支柱兼遮蔽板（１３）と、もう１本の細い保持支柱（７）、および２個の等面積の窓（８）を設ける。また、天部を蓋（９）で覆い、蓋の上には摘み（１０）を接合する。底部は開放である。
（ル）内筒（２）の保持支柱兼遮蔽板（１３）の幅は外筒（３）の窓（８）の幅よりもやや広くし、外筒の窓全体を内側から遮蔽できるようにする。尚、保持支柱兼遮蔽板が広幅であるため、他に細い保持支柱が１本あれば、保持機能は十分である。
（オ）外筒（３）は天部開放で底板（１１）のある円筒で、上端に補強リング（１４）を備える。そして、側面に窓（８）１個を設け、その寸法は内筒（２）の窓の寸法に同等に定める。また、外筒の内径を内筒の摺動リング（６）の外径よりも僅かに大きくして、嵌合時に内筒が外筒に対して円滑に回転するようにする。
（ワ）図７は、本発明の実施例２の使用状態を示す斜視図であるが、払拭具（１）を装填した内筒（２）を外筒（３）に嵌合し、余分な水を排出してからポケットに格納しておく。プレーを開始し、ボールがグリーンに乗ったらボールを拾い上げ、同時にポケットから本容器（５）を取り出す。次に、片手で外筒を持ち、もう一方の手で摘み（１０）を回転しながら、外筒の窓（８）に内筒の窓を一致させ、払拭面を露出させる。そして、払拭面にボールを押し付けながら、汚れを拭き取る。清掃終了後、再び摘みを回転させ、保持支柱兼遮蔽板（１３）で外筒の窓を内側から遮蔽する。即ち、内筒の回転だけで、払拭面の露出、選択、遮蔽が同時にできる。但し、内筒に遮蔽板を兼用させる構造のため、払拭面積は限定されてしまう。尚、実施例２における払拭面は２面あり、清浄な払拭面を任意に選択できる。
【実施例３】
【０００９】  以下、実施例３について、（カ）〜（タ）の順に説明する。実施例３は請求項２記載にかかる実施例２の構造をベースにしたもので、本実施例において構造として加える収納筒によって、払拭効果をさらに増すための実施例である。
（カ）図８は、本発明の実施例３の分解斜視図であるが、本容器（５）の外筒（３）の底板（１１）に、外筒と同径の収納筒（１６）を接続する。収納筒は天、底開放の円筒で、最も薄い厚さの吸水具（１７）から厚めの吸水具の厚さを保持し得る高さをもって形成する。この収納筒は下端に補強リング（１４）を備え、内筒（２）と外筒とから成る本容器に払拭具（１）を装填したのち、吸水具を収納する。即ち、本実施例にあっては、ゴルフボールを拭う構造物が二箇所存在することとなる。
（ヨ）図９は、本発明に吸水具を装填中の斜視図であるが、吸水具（１７）は円形の薄いスポンジ片（１８）に吸水性の良い払拭布（１９）を糊着したもので、乾燥した状態で収納筒（１６）に装填する。吸水具の直径を収納筒の内径よりも僅かに大きくして、スポンジ片と収納筒の間に摩擦を生ぜしめ、取扱中の脱落を防止する。また、収納筒の高さを吸水具のそれよりも十分高くして、格納時に吸水面がポケットの裏地に接触しないように形成する。即ち、収納筒の筒壁で吸水面を隔離する構造とする。
（タ）図１０は、本発明の実施例３の使用状態を示す斜視図であるが、本容器（５）で清掃後、まだ水分の残っているボールを吸水具（１７〉に押し付け、回転させながら払拭する。このとき、スポンジ片（１８）が湾曲し、ボールとの接触面積が増大するため、吸水効果が著しい。尚、吸水具は汚れた時点で摘みだし、洗浄、乾燥してから再装填する。
【実施例４】
【００１０】  以下、実施例４について、（レ）および（ソ）に説明する。実施例４は請求項２記載にかかる実施例２の構造をベースにしたもので、内筒の蓋に接合した摘みに、摘みとしての機能の他に、吸水具を収納する収納筒の機能を併せて付与し、本実施例において構造として何も加えないで、払拭効果をさらに増すための実施例である。
（レ）図１１は、本発明の実施例４の分解斜視図であるが、本容器（５）の内筒（２）の蓋（９）に、内筒と同径の摘み兼収納筒（２０）を接合する。摘み兼収納筒は、底部開放の円筒で、最も薄い厚さの吸水具（１７）から厚めの吸水具の厚さを保持し得る高さをもって形成する。この摘み兼収納筒は、天部に蝶番で連結した上蓋（２１）を備え、吸水具を収納したのち、内筒と外筒（３）とから成る本容器に払拭具（１）を装填する。即ち、本実施例にあっては、ゴルフボールを拭う構造物が二箇所存在することとなる。尚、上蓋はワンタッチで容易に開閉できる構造とする。
（ソ）図１２は本発明の実施例４の使用状態を示す斜視図であるが、吸水具（１７）を装填した摘み兼収納筒（２０）に連結した上蓋（２１）を開け、本容器（５）で清掃後、まだ水分の残っているボールを吸水具に押し付け、回転させながら払拭する。使用後は上蓋を閉め、ポケットに格納する。
【図面の簡単な説明】
【００１１】
【図１】本発明の実施例１を示す斜視図である。
【図２】本発明の実施例１を示す分解斜視図である。
【図３】本発明の実施例１の内筒に払拭具を装填中の斜視図である。
【図４】本発明の実施例１の使用状態を示す斜視図である。
【図５】本発明の実施例２を示す斜視図である。
【図６】本発明の実施例２を示す分解斜視図である。
【図７】本発明の実施例２の使用状態を示す斜視図である。
【図８】本発明の実施例３を示す分解斜視図である。
【図９】本発明の実施例３の収納筒に吸水具を装填中の斜視図である。
【図１０】本発明の実施例３の使用状態を示す斜視図である。
【図１１】本発明の実施例４を示す分解斜視図である。
【図１２】本発明の実施例４の使用状態を示す斜視図である。
【符号の説明】
【００１２】１  払拭具
２  内筒
３  外筒
４  遮蔽筒
５  本容器
６  摺動リング
７  保持支柱
８  窓
９  蓋
１０  摘み
１１  底板
１２  ガイドリング
１３  保持支柱兼遮蔽板
１４  補強リング
１５  ゴルフボール
１６  収納筒
１７  吸水具
１８  スポンジ片
１９  払拭布
２０  摘み兼収納筒
２１  上蓋
【図１】
2005125027.tif 000003
【図２】
2005125027.tif 000004
【図３】
2005125027.tif 000005
【図４】
2005125027.tif 000006
【図５】
2005125027.tif 000007
【図６】
2005125027.tif 000008
【図７】
2005125027.tif 000009
【図８】
2005125027.tif 000010
【図９】
2005125027.tif 000011
【図１０】
2005125027.tif 000012
【図１１】
2005125027.tif 000013
【図１２】
2005125027.tif 000014